(57)【要約】【課題】常時携帯可能で、タッチパネルの正確な入力操作を可能とする入力補助具を提供する。【解決手段】胴体部１０に動物（犬）を模擬するように、首部分が細くなった略円柱形状に形成された胴１６に前肢１８と尾１９を取り付ける。頭部２０は、略球形状に形成されたものの一部にふくらみを持たせ、その部分をマズル２２に模し、その下部に舌２４を取り付け、マズル２２を模した部分の両脇に目２６を模したものを取り付ける。その両脇に耳２８を模したものを取り付ける。マズル２２を模した部分の先端にポリエステル綿を詰めた略球形状に形成した突起部７を取り付ける。胴体部１０と頭部２０の繋ぎ目にストラップ４０を装着する。ストラップ４０には、携帯電話機などの情報機器のアンテナ装着用の穴部や音声入出力用の機器を装着するための穴部に挿入するための、プラスチックなど樹脂や金属をピン状に形成した挿入部４２を装着する。【選択図】図２
0003180408.tif 000002
【実用新案登録請求の範囲】
【請求項１】
指を挿入するための挿入口の径が広く、奥に行くに従って、径が細くなる挿入孔を有し、指先に装着可能な指挿入部と、
前記指挿入部の先端近傍に設けられた導電性の突起部と、
前記指挿入部の内部で、挿入された指に接触し、前記挿入された指と前記突起部の間の電気的導通を得るための導電性を有する導通部と、
を備えたことを特徴とする入力補助具。
【請求項２】
請求項１に記載の入力補助具において、
前記指挿入部は、
前記挿入口を有する胴体部と、
前記胴体部の先端に設けられた頭部と、
を備え、
前記突起部は、
前記頭部に設けられていることを特徴とする入力補助具。
【請求項３】
請求項２に記載の入力補助具において、
前記胴体部の外形は、キャラクター、マスコット又は動物の胴体を模擬した形状に形成され、
前記頭部の外形は、前記胴体部と同じキャラクター、マスコット又は動物の頭部を模擬した形状に形成されていることを特徴とする入力補助具。
【請求項４】
請求項２又は請求項３に記載の入力補助具において、
ストラップを備えていることを特徴とする入力補助具。
【請求項５】
請求項４に記載の入力補助具において、
前記ストラップは、操作入力を行う対象である機器に備えられた穴部に挿入可能な形状を有する挿入部を備えていることを特徴とする入力補助具。
【考案の詳細な説明】
【技術分野】
【０００１】
本考案は、携帯情報端末等のタッチパネル型入力装置への入力を補助するための入力補助具に関する。
【背景技術】
【０００２】
従来、携帯電話機や携帯型音楽プレーヤ等において、画面の表示画面上に静電容量方式のタッチパネルを設置し、指先で操作入力を行うものが普及している。静電容量方式のタッチパネルは、表示画面の表面に導電膜を貼り付け、その導電膜と導電性の物体である指先の間の静電容量の変化を捉えて、指先で指し示している位置を検出するようになっている。
【０００３】
したがって、指先に、例えば手袋などの非導電性の異物があると、静電容量の変化が発生せず、指先の位置を検出できなくなる。そのため、手袋を着けた状態では、携帯電話機等のタッチパネルの操作を行うことができなくなるという問題がある。
【０００４】
このような問題に対して、手袋の指袋の先端部分を導電性の繊維で編成し、手袋を装着した状態で、タッチパネルの導電膜と指先の間の静電容量が変化するようにして、タッチパネルで指先の位置を検出できるようにした手袋などがある（例えば、特許文献１参照）。
【先行技術文献】
【特許文献】
【０００５】
【特許文献１】実用新案登録第３１６０２１１号公報
【考案の概要】
【考案が解決しようとする課題】
【０００６】
ところが、上記特許文献に記載の手袋の場合、夏場など手袋を用いない場合には、利用者は手袋を携帯していないため、直接指先をタッチパネルで操作することになり、タッチパネル表面に、手の脂分が付着することを避けるという利用者の要望を満たすことができないという問題があった。
【０００７】
また、上記手袋を用いた場合、指先の先端部分が太くなり、タッチパネルに接触する面積が大きくなるため、タッチパネルで操作位置（指先の位置）を正確に検出することができない、つまり、タッチパネルの正確な入力操作を行うことができないという問題もある。
【０００８】
本考案は、こうした問題に鑑みなされたもので、常時携行可能で、タッチパネルの正確な入力操作を可能とする入力補助具を提供することを目的とする。
【課題を解決するための手段】
【０００９】
この欄においては、考案に対する理解を容易にするため、必要に応じて「考案を実施するための形態」欄において用いた符号を付すが、この符号によって請求の範囲を限定することを意味するものではない。
【００１０】
上記「考案が解決しようとする課題」において述べた問題を解決するためになされた入力補助具（１）は、指挿入部（５）、突起部（７）及び導通部（９）を備えている。
指挿入部（５）は、指を挿入するための挿入口（１２）の径が広く、奥に行くに従って、径が細くなる挿入孔（１４）を有し、指先に装着可能なものであり、突起部（７）は、指挿入部（５）の先端近傍に設けられた導電性のものである。
【００１１】
導通部（９）は、指挿入部（５）の内部で、挿入された指に接触し、挿入された指と突起部（７）の間の電気的導通を得るための導電性を有するものである。
このような入力補助具（１）は、指先に挿入して使用できる大きさであるので、常時携行することができる。
【００１２】
また、挿入口（１２）から奥に行くに従って挿入孔（１４）の径が小さくなっているので、指を挿入したときに、指に密着する。したがって、入力補助具（１）を用いた操作入力の際に、操作時に指先から外れ難く、かつ、正確な入力操作を行うことができる。
【００１３】
また、指挿入部（５）の先端近傍に突起部（７）が設けられており、突起部（７）は、導通部（９）を介して指挿入部（５）に挿入された指と指挿入部（５）内部で電気的導通を得るようになっている。
【００１４】
したがって、指挿入部（５）に指を挿入した状態で、指と電気的に導通している突起部（７）でタッチパネルを操作すれば、タッチパネルの操作面を正確にタッチすることができる。したがって、タッチパネルの正確な入力操作を可能とすることができる。
【００１５】
ここで、指挿入部（５）を設ける「先端近傍」とは、指挿入部（５）の最先端部分のみだけでなく、指挿入部（５）に指を挿入したときに、突起部（７）をタッチパネルに接触させて入力操作をし易いように、最先端部分から多少ずらした位置を含むことを意味している。
【００１６】
また、請求項２に記載のように、指挿入部（５）を、挿入口（１２）を有する胴体部（１０）と、胴体部（１０）の先端（挿入口（１２）の反対側の端）に設けられた頭部（２０）とを備えるようにし、突起部（７）を、頭部（２０）に設けるようにすると、胴体部（１０）と頭部（２０）が分かれることになり、挿入している指を曲げることができるようになるので、使いやすい入力補助具（１）とすることができる。
【００１７】
さらに、請求項３に記載のように、胴体部（１０）の外形を、キャラクター、マスコット又は動物の胴体を模擬した形状に形成し、頭部（２０）の外形を、胴体部（１０）と同じキャラクター、マスコット又は動物の頭部（２０）を模擬した形状に形成すると、キャラクター、マスコット又は動物を模擬した外観の入力補助具（１）とすることができるので、使用する際や携行する際に楽しい入力補助具（１）とすることができる。
【００１８】
ここで、「キャラクター」とは、小説・映画・演劇・漫画などの登場人物あるいは、その役柄を意味している。また、「マスコット」とは、幸運をもたらす人又は物などを意味している。
【００１９】
また、請求項４に記載のように、ストラップ（４０）を備えていると、携帯しやすい入力補助具（１）とすることができる。
ところで、入力補助具（１）を使用しないときに、入力補助具（１）を、操作入力を行う対象である機器に取り付けておくことができると、紛失するおそれがなく便利である。そこで、請求項５に記載のように、ストラップ（４０）は、操作入力を行う対象である機器に備えられた穴部に挿入可能な形状を有する挿入部（４２）を備えるようにするとよい。
【００２０】
つまり、例えば、操作入力を行う対象である機器が携帯電話機の場合、携帯電話機には、アンテナを装着するための装着穴や音声出力のためのイヤホーンの装着穴あるいはマイクの装着穴などがある。
【００２１】
したがって、それらの穴に挿入可能な形状を有する挿入部（４２）を、ストラップ（４０）に設けると、入力補助具（１）を使用しないときなど、挿入部（４２）を、入力を行う対象である機器の穴に挿入しておけば、入力補助具（１）を、それらの機器と一緒に携帯することができるので、紛失することがなく、また携帯にも便利である。
【図面の簡単な説明】
【００２２】
【図１】第１実施形態における入力補助具の概略の外観と内部構造を示す図である。
【図２】第２実施形態における入力補助具の概略の外観と内部構造を示す図である。
【図３】第３実施形態における入力補助具の概略の外観を示す図である。
【図４】第４実施形態における入力補助具の概略の外観と内部構造を示す図である。
【図５】第２実施形態におけるストラップの取り付け状態を示す図である。
【考案を実施するための形態】
【００２３】
以下、本考案が適用された実施形態について図面を用いて説明する。なお、本考案の実施の形態は、下記の実施形態に何ら限定されることはなく、本考案の技術的範囲に属する限り種々の形態を採りうる。
［第１実施形態］
図１は、本考案が適用された入力補助具１の概略の外観と内部構造を示す図である。図１に示すように、入力補助具１は、指挿入部５、突起部７及び導通部９を備えている。
【００２４】
指挿入部５は、指を挿入するための挿入口１２を有する胴体部１０と、胴体部１０の先端に設けられた頭部２０とを備えている。
胴体部１０の外形は、ポリエステルなどの布で略円錐台形に形成されており、胴体部１０の内部には、指先の装着可能とするための、挿入孔１４が設けられている。胴体部１０の外形と挿入孔１４との間の空間（図１中斜線で示す部分）には、ポリエステル綿が詰め込んである。
【００２５】
また、挿入孔１４は、指を挿入するための挿入口１２の径が広く、奥に行くに従って、径が細くなっている。
頭部２０は、胴体部１０と同様に、ポリエステルなどの布で形成されて、略球形に形成され、胴体部１０の先に木綿とナイロンの糸などで縫い付けられている。
【００２６】
頭部２０の内部には、胴体部１０の内部から延伸されている挿入孔１４が設けられており、頭部２０の外形と挿入孔１４との間の空間（図１中斜線で示す部分）は、胴体部１０と同様に、ポリエステル綿が詰め込んである。
【００２７】
突起部７は、導電性の繊維を含んで編成された布を円錐状や球状に形成したものに導電性の繊維を詰めて形成したものや導電性樹脂などを円錐状や球状に形成したものであり、頭部２０の先端近傍に取り付けられている。
【００２８】
導通部９は、導電性の繊維を含んで編成された布などで形成されており、一端が突起部７に縫い付けられ、他方が頭部２０の内部の挿入孔１４の内面に出るように取り付けられている。
【００２９】
このように突起部７と導通部９とを導電性の繊維を含んで編成された布で形成し、それらを縫い付けることにより突起部７と導通部９の間の電気的導通を確保することができる。
【００３０】
また、導通部９をこのように導通部９と挿入孔１４の内部との間に取り付けることで、利用者が挿入孔１４に指を挿入したときに、その指と導通部９が接触するので、指と突起部７との間の電気的導通を得ることができる。
【００３１】
また、突起部７は、導電性を有するものであれば、金属や樹脂などで形成し、導通部９に接触させて、電気的導通を確保できるように取り付けるようにしてもよい。
さらに、突起部７と導通部９とを一体化してもよい。つまり、導電性の繊維を含んで編成された一体の布をいわゆる凡天状に、略球形に形成し、ポリエステル綿を詰めて突起部７とし、布のその他の部分を挿入孔１４の内部まで延ばして、導通部９とし、その端部を挿入孔１４の内側に縫い付けるようにして、導通部９を介して、突起部７と挿入孔１４内部との電気的導通を確保するようにしてもよい。
（入力補助具１の特徴）
このような入力補助具１は、指先に挿入して使用する大きさであるため、常時携帯可能である。
【００３２】
また、挿入口１２から奥に行くに従って挿入孔１４の径が小さくなっているので、指を挿入したときに、指に密着する。したがって、操作時に指先から外れ難く、かつ、正確な入力操作を行うことができる。
【００３３】
また、指挿入部５の先端近傍に突起部７が設けられており、突起部７は、導通部９を介して指挿入部５に挿入された指と指挿入部５内部で電気的導通を得るようになっている。
したがって、指挿入部５に指を挿入した状態で、指と電気的に導通している突起部７でタッチパネルを操作すれば、タッチパネルの操作面を正確にタッチすることができる。したがって、タッチパネルの正確な入力操作を可能とすることができる。
【００３４】
さらに、頭部２０が胴体部１０に木綿とナイロンの糸で縫い付けられているため、胴体部１０と頭部２０が分かれることになる。したがって、胴体部１０や頭部２０を形成している布が多少硬く、曲がりにくいものであっても、縫い付け部分で、挿入している指を曲げることができるようになるので、使いやすい入力補助具１とすることができる。
【００３５】
ここで、「頭部２０の先端近傍」とは、頭部２０の最先端部分のみだけでなく、頭部２０に指を挿入したときに、突起部７をタッチパネルに接触させて入力操作をし易いように、最先端部分から多少ずらした位置を含むことを意味している（第２実施形態参照）。
［第２実施形態］
次に、第１実施形態の入力補助具１において、胴体部１０と頭部２０の外形形状を動物で模擬した第２実施形態の入力補助具２について、図２に基づき説明する。なお、図２（ａ）は、入力補助具２の外観を示す図であり、図２（ｂ）は、突起部７と導通部９の構造を示すための頭部２０から胴体部１０の先端部分の断面図である。
【００３６】
また、入力補助具２の内部の指挿入部５、挿入口１２及び挿入孔１４は、第１実施形態の入力補助具１と同じであるため、図示及びその説明を省略する。
さらに、第２実施形態における入力補助具２の基本的な構成は第１実施形態におけるものと同じであるため、同じ構成品には同じ符号を付し、その説明を省略する。
【００３７】
第２実施形態における入力補助具２の胴体部１０は、図２に示すように、動物（本第２実施形態では犬）の胴１６を模擬するように、動物の首に相当する部分が細くなった略円柱形状に形成された胴１６に前肢１８を模したものと尾１９を模したものとを取り付けてある。
【００３８】
また、頭部２０は、略球形状に形成されたものの一部にふくらみを持たせ、その部分をマズル２２に模し、マズル２２を模した部分の下部に舌２４を取り付け、マズル２２を模した部分の両脇に目２６を模したものを取り付けてある。さらに、目２６を模した部分の両脇に耳２８を模したものを取り付けてある。
【００３９】
そして、マズル２２を模した部分の先端に、犬の鼻に模した突起部７と導通部９が取り付けられている。
突起部７と導通部９は、図２（ｂ）に示すように、導電性繊維を含んで編成した布の一部を、いわゆる凡天状に、略球形に形成し、ポリエステル綿を詰め、鼻に模した突起部７とし、布のその他の部分を指サック状に形成してある。
【００４０】
そして、マズル２２の部分に突起部７を、木綿糸やナイロン糸で縫い付け（図２（ｂ）中「Ａ」で示した部分）、指サック状に形成した部分の端部が、マズル２２の内部を介して、頭部２０内部の挿入孔１４の内側に出るようにし、挿入孔１４の内側に、木綿糸やナイロン糸で縫い付ける（図２（ｂ）中「Ｂ」で示した部分）。
【００４１】
ここで、導通部９を指サック状に形成し、端部を挿入孔１４の内側に縫い付けることにより、指を突起部７に近い部分にまで挿入することができるようになるので、より正確に入力操作を行うことができるようになる。
【００４２】
また、胴体部１０と頭部２０の繋ぎ目には、装飾用にバンダナ３０を装着するとともに、ストラップ４０を装着してある。
ストラップ４０には、挿入部４２と取付金具４４が設けられている。挿入部４２は、携帯電話機や携帯端末などの情報機器のアンテナ装着用の穴部やイヤホーンやマイクなどの音声入出力用の機器を装着するための穴部に挿入するための、プラスチックなど樹脂や金属をピン状に形成した部品である。
【００４３】
また、取付金具４４は、ストラップ４０をバンダナ３０に取り付けるための金具であり、リング状の金具の一部が開閉可能になっており、その部分を開いてリング部分をバンダナ３０に通すことにより、ストラップ４０をバンダナ３０に取り付けることができるようになっている。
（入力補助具２の特徴）
このような入力補助具２では、第１実施形態における入力補助具１の特徴に加え、胴体部１０や頭部２０の外形形状を、動物の胴体や頭部を模擬して形成してあるので、使用したり携行したりする際に楽しい入力補助具２とすることができる。
【００４４】
また、ストラップ４０を備えているので、携帯しやすい入力補助具２とすることができる。
さらに、ストラップ４０に、携帯電話機や携帯端末などの情報機器のアンテナ装着用の穴部やイヤホーンやマイクなどの音声入出力用の機器を装着するための穴部に挿入するための挿入部４２が装着されている。
【００４５】  したがって、入力補助具２を使用しないときなどに、挿入部４２を、入力を行う対象である機器の穴に挿入しておけば、入力補助具２を、それらの機器と一緒に携帯することができるので、紛失することがなく、また携帯にも便利である。［第３実施形態］  次に、第２実施形態の動物に代えて、映画・演劇・漫画などの登場人物であるキャラクターの一例として、雪だるま（公序良俗違反につき、不掲載）の外観を有する入力補助具について、図３に基づき説明する。なお、図３は、入力補助具３の外観を示す図であり、内部の指挿入部５、挿入口１２及び挿入孔１４は、第１実施形態の入力補助具１と同じであるため、図示及びその説明を省略する。
【００４６】
さらに、第３実施形態における入力補助具３の基本的な構成は第２実施形態におけるものと同じであるため、同じ構成品には同じ符号を付し、その説明を省略する。
第２実施形態における入力補助具３の胴体部１０は、図３に示すように、雪だるまの胴１６を、雪だるまの首に相当する部分が細くなった略楕円体形状で模擬する。
【００４７】
また、頭部２０は、略球形状に形成されており、中心部分に鼻２３を模した球形の突起を取り付け、そのやや上方両脇に目２６を模したものを取り付けてある。さらに、鼻２３の下方に口２５を模したものを取り付けてある。
【００４８】
そして、頭部２０の頂点からやや下方に、導電性繊維を含んで編成した布を略円錐形状に形成して、ポリエステル綿を詰め、三角帽子５０に模したものを取り付ける。
さらに、三角帽子５０の円錐の先端に、導電性繊維を含んで編成した布を略球形状に形成して、ポリエステル綿を詰め、突起部７を取り付けてある。
【００４９】
また、胴体部１０と頭部２０の繋ぎ目には、第２実施形態の入力補助具２と同様にストラップ４０が装着してある。ただし、第３実施形態の入力補助具３では、ストラップ４０に取付金具４４を設けず、胴体部１０と頭部２０の繋ぎ目に直接縫い付けて、取り付けてある。
【００５０】
このような入力補助具３では、入力補助具３を指に挿入した状態で、三角帽子５０の先端に取り付けられている突起部７によってタッチパネルを容易かつ正確に操作することができる。
【００５１】
また、第２実施形態の入力補助具２と同様に、使用したり携行したりする際に楽しい入力補助具３とすることができるとともに、携帯しやすい入力補助具３とすることができる。
［第４実施形態］
次に、第２実施形態や第３実施形態の動物やキャラクターに代えて、車両の一例として列車の外観を有する入力補助具について、図４に基づき説明する。なお、図４は、入力補助具４の外観を示す図であり、内部の指挿入部５、挿入口１２及び挿入孔１４は、第１実施形態の入力補助具１と同じであるため、図示及びその説明を省略する。
【００５２】
入力補助具４では、指挿入部５を胴体部１０と頭部２０に分けて構成せず、ポリエステル布などで列車の形状を模して一体で形成してある。
そして、列車の先頭の流線型に形成されている部分を第２実施形態のマズル２２と同じように形成し、その先端部分を第２実施形態の犬の鼻に模した突起部７と同じように、導電性繊維を含んで編成した布の一部にポリエステル綿を詰めて凡天を形成し、突起部７とする。
【００５３】
また、その突起部７を形成した布の他の部分を指サック状に形成し、突起部を車両先頭部に木綿糸やナイロン糸で縫い付け、指サック状に形成した部分の端部が、マズル２２の内部を介して、頭部２０内部の挿入孔１４の内側に出るようにし、挿入孔１４の内側に、木綿糸やナイロン糸で縫い付けて導通部９とする。
【００５４】
さらに、車両の天井部分にストラップ４０を木綿糸やナイロン糸で縫い付けて取り付ける。
このような入力補助具４では、入力補助具４を指に挿入した状態で、車両先頭の先端に取り付けられている突起部７によってタッチパネルを容易かつ正確に操作することができる。
［その他の実施形態］
以上、本考案の実施形態について説明したが、本考案は、本実施形態に限定されるものではなく、種々の態様を採ることができる。
（１）第２実施形態では、犬を模擬していたが、他の動物を模擬してもよい。
（２）第２実施形態では、犬の首周りに装飾用のバンダナ３０を装着し、そのバンダナ３０にストラップ４０を取付金具４４で取り付けていたが、図５に示すようにしてもよい。
【００５５】
つまり、図５（ａ）に示すように、頭部２０にリング状の金具４６を装着し、取付金具４４のないストラップ４０をそのリングに通すようにしてもよい。
また、図５（ｂ）に示すように、頭部２０にリング状の金具４６を装着し、ストラップ４０の先端に取付金具４４を装着し、取付金具４４の一部を開いて、金具４６のリング部分に取付金具４４のリング部分を通した後、開いておいた部分を閉じることにより、ストラップ４０を頭部２０に取り付けるようにしてもよい。
【００５６】
さらに、リング状の金具４６の代わりに、紐で輪を作り、それを胴体部１０や頭部２０に取り付け、その輪に、取付金具４４を挿入するようにして、ストラップ４０を取り付けるようにしてもよい。
【００５７】
また、胴体部１０や頭部２０にストラップ４０を縫い付けるなどして直接取り付けてもよい。
また、ストラップ４０は、頭部２０でなく、胴体部１０に取り付けるようにしてもよい。
（３）第３実施形態では、キャラクターとして「雪だるま」を模擬したが、他のキャラクター、例えば、ピノキオなどの物語上の登場人物や妖怪などの架空のキャラクターなど一般利用者に人気のある小説・映画・演劇・漫画などの登場人物やその役柄を模擬してもよい。
（４）第２実施形態における動物、第３実施形態におけるキャラクター以外に、外形形状を、御菓子メーカーや薬メーカーなど種々の会社等が販売促進用に使用しているマスコットの形状にしてもよい。
（５）第４実施形態において車両を列車としたが、列車の代わりに自動車や自動二輪車など道路上を走行するものであってもよい。
【符号の説明】
【００５８】
１，２，３，４… 入力補助具  ５… 指挿入部  ７… 突起部  ９… 導通部  １０… 胴体部  １２… 挿入口  １４… 挿入孔  １６… 胴  １８… 前肢  １９… 尾  ２０… 頭部  ２２… マズル  ２３… 鼻  ２４… 舌  ２５… 口  ２６… 目  ２８… 耳  ３０… バンダナ  ４０… ストラップ  ４２… 挿入部  ４４… 取付金具  ４６… 金具  ５０… 三角帽子。
【図１】
0003180408.tif 000003
【図３】
0003180408.tif 000004
【図４】
0003180408.tif 000005
【図５】
0003180408.tif 000006
【図２】
0003180408.tif 000007
【手続補正書】
【提出日】平成24年10月17日(2012.10.17)
【手続補正１】
【補正対象書類名】明細書
【補正対象項目名】全文
【補正方法】変更
【補正の内容】
【考案の詳細な説明】
【技術分野】
【０００１】
本考案は、携帯情報端末等のタッチパネル型入力装置への入力を補助するための入力補助具に関する。
【背景技術】
【０００２】
従来、携帯電話機や携帯型音楽プレーヤ等において、画面の表示画面上に静電容量方式のタッチパネルを設置し、指先で操作入力を行うものが普及している。静電容量方式のタッチパネルは、表示画面の表面に導電膜を貼り付け、その導電膜と導電性の物体である指先の間の静電容量の変化を捉えて、指先で指し示している位置を検出するようになっている。
【０００３】
したがって、指先に、例えば手袋などの非導電性の異物があると、静電容量の変化が発生せず、指先の位置を検出できなくなる。そのため、手袋を着けた状態では、携帯電話機等のタッチパネルの操作を行うことができなくなるという問題がある。
【０００４】
このような問題に対して、手袋の指袋の先端部分を導電性の繊維で編成し、手袋を装着した状態で、タッチパネルの導電膜と指先の間の静電容量が変化するようにして、タッチパネルで指先の位置を検出できるようにした手袋などがある（例えば、特許文献１参照）。
【先行技術文献】
【特許文献】
【０００５】
【特許文献１】実用新案登録第３１６０２１１号公報
【考案の概要】
【考案が解決しようとする課題】
【０００６】
ところが、上記特許文献に記載の手袋の場合、夏場など手袋を用いない場合には、利用者は手袋を携帯していないため、直接指先をタッチパネルで操作することになり、タッチパネル表面に、手の脂分が付着することを避けるという利用者の要望を満たすことができないという問題があった。
【０００７】
また、上記手袋を用いた場合、指先の先端部分が太くなり、タッチパネルに接触する面積が大きくなるため、タッチパネルで操作位置（指先の位置）を正確に検出することができない、つまり、タッチパネルの正確な入力操作を行うことができないという問題もある。
【０００８】
本考案は、こうした問題に鑑みなされたもので、常時携行可能で、タッチパネルの正確な入力操作を可能とする入力補助具を提供することを目的とする。
【課題を解決するための手段】
【０００９】
この欄においては、考案に対する理解を容易にするため、必要に応じて「考案を実施するための形態」欄において用いた符号を付すが、この符号によって請求の範囲を限定することを意味するものではない。
【００１０】
上記「考案が解決しようとする課題」において述べた問題を解決するためになされた入力補助具（１）は、指挿入部（５）、突起部（７）及び導通部（９）を備えている。
指挿入部（５）は、指を挿入するための挿入口（１２）の径が広く、奥に行くに従って、径が細くなる挿入孔（１４）を有し、指先に装着可能なものであり、突起部（７）は、指挿入部（５）の先端近傍に設けられた導電性のものである。
【００１１】
導通部（９）は、指挿入部（５）の内部で、挿入された指に接触し、挿入された指と突起部（７）の間の電気的導通を得るための導電性を有するものである。
このような入力補助具（１）は、指先に挿入して使用できる大きさであるので、常時携行することができる。
【００１２】
また、挿入口（１２）から奥に行くに従って挿入孔（１４）の径が小さくなっているので、指を挿入したときに、指に密着する。したがって、入力補助具（１）を用いた操作入力の際に、操作時に指先から外れ難く、かつ、正確な入力操作を行うことができる。
【００１３】
また、指挿入部（５）の先端近傍に突起部（７）が設けられており、突起部（７）は、導通部（９）を介して指挿入部（５）に挿入された指と指挿入部（５）内部で電気的導通を得るようになっている。
【００１４】
したがって、指挿入部（５）に指を挿入した状態で、指と電気的に導通している突起部（７）でタッチパネルを操作すれば、タッチパネルの操作面を正確にタッチすることができる。したがって、タッチパネルの正確な入力操作を可能とすることができる。
【００１５】
ここで、指挿入部（５）を設ける「先端近傍」とは、指挿入部（５）の最先端部分のみだけでなく、指挿入部（５）に指を挿入したときに、突起部（７）をタッチパネルに接触させて入力操作をし易いように、最先端部分から多少ずらした位置を含むことを意味している。
【００１６】
また、請求項２に記載のように、指挿入部（５）を、挿入口（１２）を有する胴体部（１０）と、胴体部（１０）の先端（挿入口（１２）の反対側の端）に設けられた頭部（２０）とを備えるようにし、突起部（７）を、頭部（２０）に設けるようにすると、胴体部（１０）と頭部（２０）が分かれることになり、挿入している指を曲げることができるようになるので、使いやすい入力補助具（１）とすることができる。
【００１７】
さらに、請求項３に記載のように、胴体部（１０）の外形を、キャラクター、マスコット又は動物の胴体を模擬した形状に形成し、頭部（２０）の外形を、胴体部（１０）と同じキャラクター、マスコット又は動物の頭部（２０）を模擬した形状に形成すると、キャラクター、マスコット又は動物を模擬した外観の入力補助具（１）とすることができるので、使用する際や携行する際に楽しい入力補助具（１）とすることができる。
【００１８】
ここで、「キャラクター」とは、小説・映画・演劇・漫画などの登場人物あるいは、その役柄を意味している。また、「マスコット」とは、幸運をもたらす人又は物などを意味している。
【００１９】
また、請求項４に記載のように、ストラップ（４０）を備えていると、携帯しやすい入力補助具（１）とすることができる。
ところで、入力補助具（１）を使用しないときに、入力補助具（１）を、操作入力を行う対象である機器に取り付けておくことができると、紛失するおそれがなく便利である。そこで、請求項５に記載のように、ストラップ（４０）は、操作入力を行う対象である機器に備えられた穴部に挿入可能な形状を有する挿入部（４２）を備えるようにするとよい。
【００２０】
つまり、例えば、操作入力を行う対象である機器が携帯電話機の場合、携帯電話機には、アンテナを装着するための装着穴や音声出力のためのイヤホーンの装着穴あるいはマイクの装着穴などがある。
【００２１】
したがって、それらの穴に挿入可能な形状を有する挿入部（４２）を、ストラップ（４０）に設けると、入力補助具（１）を使用しないときなど、挿入部（４２）を、入力を行う対象である機器の穴に挿入しておけば、入力補助具（１）を、それらの機器と一緒に携帯することができるので、紛失することがなく、また携帯にも便利である。
【図面の簡単な説明】
【００２２】
【図１】第１実施形態における入力補助具の概略の外観と内部構造を示す図である。
【図２】第２実施形態における入力補助具の概略の外観と内部構造を示す図である。
【図３】第３実施形態における入力補助具の概略の外観を示す図である。
【図４】第４実施形態における入力補助具の概略の外観と内部構造を示す図である。
【図５】第２実施形態におけるストラップの取り付け状態を示す図である。
【考案を実施するための形態】
【００２３】
以下、本考案が適用された実施形態について図面を用いて説明する。なお、本考案の実施の形態は、下記の実施形態に何ら限定されることはなく、本考案の技術的範囲に属する限り種々の形態を採りうる。
［第１実施形態］
図１は、本考案が適用された入力補助具１の概略の外観と内部構造を示す図である。図１に示すように、入力補助具１は、指挿入部５、突起部７及び導通部９を備えている。
【００２４】
指挿入部５は、指を挿入するための挿入口１２を有する胴体部１０と、胴体部１０の先端に設けられた頭部２０とを備えている。
胴体部１０の外形は、ポリエステルなどの布で略円錐台形に形成されており、胴体部１０の内部には、指先の装着可能とするための、挿入孔１４が設けられている。胴体部１０の外形と挿入孔１４との間の空間（図１中斜線で示す部分）には、ポリエステル綿が詰め込んである。
【００２５】
また、挿入孔１４は、指を挿入するための挿入口１２の径が広く、奥に行くに従って、径が細くなっている。
頭部２０は、胴体部１０と同様に、ポリエステルなどの布で形成されて、略球形に形成され、胴体部１０の先に木綿とナイロンの糸などで縫い付けられている。
【００２６】
頭部２０の内部には、胴体部１０の内部から延伸されている挿入孔１４が設けられており、頭部２０の外形と挿入孔１４との間の空間（図１中斜線で示す部分）は、胴体部１０と同様に、ポリエステル綿が詰め込んである。
【００２７】
突起部７は、導電性の繊維を含んで編成された布を円錐状や球状に形成したものに導電性の繊維を詰めて形成したものや導電性樹脂などを円錐状や球状に形成したものであり、頭部２０の先端近傍に取り付けられている。
【００２８】
導通部９は、導電性の繊維を含んで編成された布などで形成されており、一端が突起部７に縫い付けられ、他方が頭部２０の内部の挿入孔１４の内面に出るように取り付けられている。
【００２９】
このように突起部７と導通部９とを導電性の繊維を含んで編成された布で形成し、それらを縫い付けることにより突起部７と導通部９の間の電気的導通を確保することができる。
【００３０】
また、導通部９をこのように導通部９と挿入孔１４の内部との間に取り付けることで、利用者が挿入孔１４に指を挿入したときに、その指と導通部９が接触するので、指と突起部７との間の電気的導通を得ることができる。
【００３１】
また、突起部７は、導電性を有するものであれば、金属や樹脂などで形成し、導通部９に接触させて、電気的導通を確保できるように取り付けるようにしてもよい。
さらに、突起部７と導通部９とを一体化してもよい。つまり、導電性の繊維を含んで編成された一体の布をいわゆる凡天状に、略球形に形成し、ポリエステル綿を詰めて突起部７とし、布のその他の部分を挿入孔１４の内部まで延ばして、導通部９とし、その端部を挿入孔１４の内側に縫い付けるようにして、導通部９を介して、突起部７と挿入孔１４内部との電気的導通を確保するようにしてもよい。
（入力補助具１の特徴）
このような入力補助具１は、指先に挿入して使用する大きさであるため、常時携帯可能である。
【００３２】
また、挿入口１２から奥に行くに従って挿入孔１４の径が小さくなっているので、指を挿入したときに、指に密着する。したがって、操作時に指先から外れ難く、かつ、正確な入力操作を行うことができる。
【００３３】
また、指挿入部５の先端近傍に突起部７が設けられており、突起部７は、導通部９を介して指挿入部５に挿入された指と指挿入部５内部で電気的導通を得るようになっている。
したがって、指挿入部５に指を挿入した状態で、指と電気的に導通している突起部７でタッチパネルを操作すれば、タッチパネルの操作面を正確にタッチすることができる。したがって、タッチパネルの正確な入力操作を可能とすることができる。
【００３４】
さらに、頭部２０が胴体部１０に木綿とナイロンの糸で縫い付けられているため、胴体部１０と頭部２０が分かれることになる。したがって、胴体部１０や頭部２０を形成している布が多少硬く、曲がりにくいものであっても、縫い付け部分で、挿入している指を曲げることができるようになるので、使いやすい入力補助具１とすることができる。
【００３５】
ここで、「頭部２０の先端近傍」とは、頭部２０の最先端部分のみだけでなく、頭部２０に指を挿入したときに、突起部７をタッチパネルに接触させて入力操作をし易いように、最先端部分から多少ずらした位置を含むことを意味している（第２実施形態参照）。
［第２実施形態］
次に、第１実施形態の入力補助具１において、胴体部１０と頭部２０の外形形状を動物で模擬した第２実施形態の入力補助具２について、図２に基づき説明する。なお、図２（ａ）は、入力補助具２の外観を示す図であり、図２（ｂ）は、突起部７と導通部９の構造を示すための頭部２０から胴体部１０の先端部分の断面図である。
【００３６】
また、入力補助具２の内部の指挿入部５、挿入口１２及び挿入孔１４は、第１実施形態の入力補助具１と同じであるため、図示及びその説明を省略する。
さらに、第２実施形態における入力補助具２の基本的な構成は第１実施形態におけるものと同じであるため、同じ構成品には同じ符号を付し、その説明を省略する。
【００３７】
第２実施形態における入力補助具２の胴体部１０は、図２に示すように、動物（本第２実施形態では犬）の胴１６を模擬するように、動物の首に相当する部分が細くなった略円柱形状に形成された胴１６に前肢１８を模したものと尾１９を模したものとを取り付けてある。
【００３８】
また、頭部２０は、略球形状に形成されたものの一部にふくらみを持たせ、その部分をマズル２２に模し、マズル２２を模した部分の下部に舌２４を取り付け、マズル２２を模した部分の両脇に目２６を模したものを取り付けてある。さらに、目２６を模した部分の両脇に耳２８を模したものを取り付けてある。
【００３９】
そして、マズル２２を模した部分の先端に、犬の鼻に模した突起部７と導通部９が取り付けられている。
突起部７と導通部９は、図２（ｂ）に示すように、導電性繊維を含んで編成した布の一部を、いわゆる凡天状に、略球形に形成し、ポリエステル綿を詰め、鼻に模した突起部７とし、布のその他の部分を指サック状に形成してある。
【００４０】
そして、マズル２２の部分に突起部７を、木綿糸やナイロン糸で縫い付け（図２（ｂ）中「Ａ」で示した部分）、指サック状に形成した部分の端部が、マズル２２の内部を介して、頭部２０内部の挿入孔１４の内側に出るようにし、挿入孔１４の内側に、木綿糸やナイロン糸で縫い付ける（図２（ｂ）中「Ｂ」で示した部分）。
【００４１】
ここで、導通部９を指サック状に形成し、端部を挿入孔１４の内側に縫い付けることにより、指を突起部７に近い部分にまで挿入することができるようになるので、より正確に入力操作を行うことができるようになる。
【００４２】
また、胴体部１０と頭部２０の繋ぎ目には、装飾用にバンダナ３０を装着するとともに、ストラップ４０を装着してある。
ストラップ４０には、挿入部４２と取付金具４４が設けられている。挿入部４２は、携帯電話機や携帯端末などの情報機器のアンテナ装着用の穴部やイヤホーンやマイクなどの音声入出力用の機器を装着するための穴部に挿入するための、プラスチックなど樹脂や金属をピン状に形成した部品である。
【００４３】
また、取付金具４４は、ストラップ４０をバンダナ３０に取り付けるための金具であり、リング状の金具の一部が開閉可能になっており、その部分を開いてリング部分をバンダナ３０に通すことにより、ストラップ４０をバンダナ３０に取り付けることができるようになっている。
（入力補助具２の特徴）
このような入力補助具２では、第１実施形態における入力補助具１の特徴に加え、胴体部１０や頭部２０の外形形状を、動物の胴体や頭部を模擬して形成してあるので、使用したり携行したりする際に楽しい入力補助具２とすることができる。
【００４４】
また、ストラップ４０を備えているので、携帯しやすい入力補助具２とすることができる。
さらに、ストラップ４０に、携帯電話機や携帯端末などの情報機器のアンテナ装着用の穴部やイヤホーンやマイクなどの音声入出力用の機器を装着するための穴部に挿入するための挿入部４２が装着されている。
【００４５】
したがって、入力補助具２を使用しないときなどに、挿入部４２を、入力を行う対象である機器の穴に挿入しておけば、入力補助具２を、それらの機器と一緒に携帯することができるので、紛失することがなく、また携帯にも便利である。
［第３実施形態］
次に、第２実施形態の動物に代えて、映画・演劇・漫画などの登場人物であるキャラクターの一例として、雪だるまの外観を有する入力補助具について、図３に基づき説明する。なお、図３は、入力補助具３の外観を示す図であり、内部の指挿入部５、挿入口１２及び挿入孔１４は、第１実施形態の入力補助具１と同じであるため、図示及びその説明を省略する。
【００４６】
さらに、第３実施形態における入力補助具３の基本的な構成は第２実施形態におけるものと同じであるため、同じ構成品には同じ符号を付し、その説明を省略する。
第２実施形態における入力補助具３の胴体部１０は、図３に示すように、雪だるまの胴１６を、雪だるまの首に相当する部分が細くなった略楕円体形状で模擬する。
【００４７】
また、頭部２０は、略球形状に形成されており、中心部分に鼻２３を模した球形の突起を取り付け、そのやや上方両脇に目２６を模したものを取り付けてある。さらに、鼻２３の下方に口２５を模したものを取り付けてある。
【００４８】
そして、頭部２０の頂点からやや下方に、導電性繊維を含んで編成した布を略円錐形状に形成して、ポリエステル綿を詰め、三角帽子５０に模したものを取り付ける。
さらに、三角帽子５０の円錐の先端に、導電性繊維を含んで編成した布を略球形状に形成して、ポリエステル綿を詰め、突起部７を取り付けてある。
【００４９】
また、胴体部１０と頭部２０の繋ぎ目には、第２実施形態の入力補助具２と同様にストラップ４０が装着してある。ただし、第３実施形態の入力補助具３では、ストラップ４０に取付金具４４を設けず、胴体部１０と頭部２０の繋ぎ目に直接縫い付けて、取り付けてある。
【００５０】
このような入力補助具３では、入力補助具３を指に挿入した状態で、三角帽子５０の先端に取り付けられている突起部７によってタッチパネルを容易かつ正確に操作することができる。
【００５１】
また、第２実施形態の入力補助具２と同様に、使用したり携行したりする際に楽しい入力補助具３とすることができるとともに、携帯しやすい入力補助具３とすることができる。
［第４実施形態］
次に、第２実施形態や第３実施形態の動物やキャラクターに代えて、車両の一例として列車の外観を有する入力補助具について、図４に基づき説明する。なお、図４は、入力補助具４の外観を示す図であり、内部の指挿入部５、挿入口１２及び挿入孔１４は、第１実施形態の入力補助具１と同じであるため、図示及びその説明を省略する。
【００５２】
入力補助具４では、指挿入部５を胴体部１０と頭部２０に分けて構成せず、ポリエステル布などで列車の形状を模して一体で形成してある。
そして、列車の先頭の流線型に形成されている部分を第２実施形態のマズル２２と同じように形成し、その先端部分を第２実施形態の犬の鼻に模した突起部７と同じように、導電性繊維を含んで編成した布の一部にポリエステル綿を詰めて凡天を形成し、突起部７とする。
【００５３】
また、その突起部７を形成した布の他の部分を指サック状に形成し、突起部を車両先頭部に木綿糸やナイロン糸で縫い付け、指サック状に形成した部分の端部が、マズル２２の内部を介して、頭部２０内部の挿入孔１４の内側に出るようにし、挿入孔１４の内側に、木綿糸やナイロン糸で縫い付けて導通部９とする。
【００５４】
さらに、車両の天井部分にストラップ４０を木綿糸やナイロン糸で縫い付けて取り付ける。
このような入力補助具４では、入力補助具４を指に挿入した状態で、車両先頭の先端に取り付けられている突起部７によってタッチパネルを容易かつ正確に操作することができる。
［その他の実施形態］
以上、本考案の実施形態について説明したが、本考案は、本実施形態に限定されるものではなく、種々の態様を採ることができる。
（１）第２実施形態では、犬を模擬していたが、他の動物を模擬してもよい。
（２）第２実施形態では、犬の首周りに装飾用のバンダナ３０を装着し、そのバンダナ３０にストラップ４０を取付金具４４で取り付けていたが、図５に示すようにしてもよい。
【００５５】
つまり、図５（ａ）に示すように、頭部２０にリング状の金具４６を装着し、取付金具４４のないストラップ４０をそのリングに通すようにしてもよい。
また、図５（ｂ）に示すように、頭部２０にリング状の金具４６を装着し、ストラップ４０の先端に取付金具４４を装着し、取付金具４４の一部を開いて、金具４６のリング部分に取付金具４４のリング部分を通した後、開いておいた部分を閉じることにより、ストラップ４０を頭部２０に取り付けるようにしてもよい。
【００５６】
さらに、リング状の金具４６の代わりに、紐で輪を作り、それを胴体部１０や頭部２０に取り付け、その輪に、取付金具４４を挿入するようにして、ストラップ４０を取り付けるようにしてもよい。
【００５７】
また、胴体部１０や頭部２０にストラップ４０を縫い付けるなどして直接取り付けてもよい。
また、ストラップ４０は、頭部２０でなく、胴体部１０に取り付けるようにしてもよい。
（３）第３実施形態では、キャラクターとして「雪だるま」を模擬したが、他のキャラクター、例えば、ピノキオなどの物語上の登場人物や妖怪などの架空のキャラクターなど一般利用者に人気のある小説・映画・演劇・漫画などの登場人物やその役柄を模擬してもよい。
（４）第２実施形態における動物、第３実施形態におけるキャラクター以外に、外形形状を、御菓子メーカーや薬メーカーなど種々の会社等が販売促進用に使用しているマスコットの形状にしてもよい。
（５）第４実施形態において車両を列車としたが、列車の代わりに自動車や自動二輪車など道路上を走行するものであってもよい。
【符号の説明】
【００５８】
１，２，３，４… 入力補助具  ５… 指挿入部  ７… 突起部  ９… 導通部  １０…
胴体部  １２… 挿入口  １４… 挿入孔  １６… 胴  １８… 前肢  １９… 尾  ２０… 頭部  ２２… マズル  ２３… 鼻  ２４… 舌  ２５… 口  ２６… 目  ２８… 耳  ３０… バンダナ  ４０… ストラップ  ４２… 挿入部  ４４… 取付金具  ４６… 金具  ５
０… 三角帽子。